(57)【要約】      （修正有）【課題】貸し出す多量のメダルを指定された数に分割して指定された数の容器に払い出すと共に容器からメダルが溢れないようにする。【解決手段】メダルの払出に先立ってメダルを収容する１つの容器が払出部２０に供給される。払出部２０における容器を検出した後、メダル払出ユニット１８が起動されて当該容器に所定数のメダルが払い出される。更に払出すメダル残量がある場合、メダルの取り出しが促される。利用者が払出部からメダルを収容した容器を取り出した場合、容器検出ユニットは容器無し信号を出力し、この信号に基づいて容器供給ユニットが作動して新たな容器が払出部２０に供給される。容器検出ユニットの払出部２０における容器の検出信号に基づいてメダル払出ユニット１８が作動され、メダルの残量が払い出される。更に残量がある場合、前述の動作が繰り返される。そして、金額情報に基づくメダルの全量が複数の容器に溢れることなく払い出される。【選択図】図５
2010075729.tif 000002
【特許請求の範囲】
【請求項１】
メダルを受けるための容器(36)を払出部(20)に供給可能なメダル貸出装置において、
メダル又は前記容器の取出が可能な前記払出部(20)と、
前記払出部へ所定数量のメダルを放出するためのメダル払出ユニット(18)と、
予め容器保留部(62)に保留された容器を前記払出部へ供給するための容器供給ユニット(60)と、
前記払出部における容器の有無を検知する容器検出ユニット(66)と、
メダル払出前の時点における前記容器検出ユニットによる容器の有無の検出に応じて、前記メダル払出ユニットおよび容器供給ユニットを制御する制御ユニット(68)と、を備え、
前記制御手段は、前記容器検出ユニットの容器無し出力に基づいて前記容器供給ユニットを作動させて前記払出部へ容器を供給した後、前記容器検出ユニットの容器の存在信号に基づいて前記メダル払出ユニットを作動させてメダルを当該保持部の容器内に払出すことを特徴とするメダル貸出装置。
【請求項２】
メダルを受けるための容器(36)を払出部(20)に供給可能なメダル貸出装置において、
メダル又は前記容器の取出が可能な前記払出部(20)と、
前記払出部へ所定数量のメダルを放出するためのメダル払出ユニット(18)と、
予め容器保留部(62)に保留された容器を前記払出部へ供給するための容器供給ユニット(60)と、
前記払出部における容器の有無を検知する容器検出ユニット(66)と、
メダルを複数回に分けて払い出すための分割数信号を出力する分割指示ユニット(24)と、
メダル払出前の時点における前記容器検出ユニットによる容器の有無の検出に応じて、前記メダル払出ユニットおよび容器供給ユニットを制御する制御ユニット(68)と、を備え、
前記制御手段は、前記分割指示ユニットの分割数信号及び前記容器検出ユニットの容器無し出力に基づいて前記容器供給ユニットを作動させて前記払出部へ容器を供給した後、前記容器検出ユニットの容器の存在信号に基づいて前記メダル払出ユニットを作動させてメダルを当該保持部の容器内に払出すことを特徴とするメダル貸出装置。
【発明の詳細な説明】
【技術分野】
【０００１】
本発明は、受け入れた価値情報に基づいて所定数のメダルを貸し出すメダル貸出装置に関する。
特に、受け入れた価値情報に基づいて所定数のメダルを、指定された数に分割して貸し出すメダル貸出装置に関する。
さらに詳しくは、受け入れた価値情報に基づいて所定数のメダルを、指定された数に分割して払い出すメダルを容器に収納して貸し出すメダル貸出装置に関する。
なお、本明細書で使用する「メダル」は、ゲーム機用のメダル、トークン、代用コイン等のメダルの総称である。
以下、ゲーム機のメダル貸出装置を例として説明する。
【背景技術】
【０００２】
メダルの収納容器を自動的に払出部に供給し、その容器に投入金額に対応する所定数のメダルを自動的に払い出して貸し出す装置が知られている（例えば、特許文献１参照。）。
【０００３】
【特許文献１】特許第２８６０８１８号
【０００４】
従来、一般的に使用されているメダルの容器は、メダル約３００枚で満杯になる。
一方、メダル単価は営業的に設定されるため、投入金額に対する払い出しメダル数は一義的に決定される。
例えば、投入金額千円に対してメダル１００枚、二千円に対し２１０枚、３千円に対し３６０枚、五千円に対し６５０枚に設定される。
【０００５】
利用者が３人でゲーム場に入った場合、一人ずつ千円分のメダルを購入するよりも、３千円分まとめ買いした方が６０枚プラスして払い出される。
そのため、まとめ買いした後、手作業で１２０枚ずつカウントしたり、目分量で分割することが行われている。
手作業でカウントする場合、面倒であり、また、目分量の場合、分配メダル数のバラツキが発生し、不公平である。
そのため、払い出されるメダルを均等に分配して貸し出すメダル貸機の出現が強く望まれている。
さらに、払い出すメダル数が多くなった場合、容器から溢れることがあるため、払い出すメダルが多量になった場合においても、容器から溢れることなくメダルを払い出すことができるメダル貸機の出現が望まれている。
【発明の開示】
【発明が解決しようとする課題】
【０００６】
本発明は、この要望に基づいてなされたものである。
本発明の第１の目的は、貸し出す多量のメダルを指定された数に分割して払い出すことである。
本発明の第２の目的は、貸し出す多量のメダルを指定された数の容器に分割して払い出すことである。
本発明の第３の目的は、貸し出す多量のメダルを指定された数に分割して払い出すと共に容器からメダルが溢れないようにすることである。
【課題を解決するための手段】
【０００７】
この目的を達成するため、請求項１のメダル貸出装置は以下のように構成されている。
メダルを受けるための容器を払出部に供給可能なメダル貸出装置において、メダル又は前記容器の取出が可能な前記払出部と、前記払出部へ所定数量のメダルを放出するためのメダル払出ユニットと、予め容器保留部に保留された容器を前記払出部へ供給するための容器供給ユニットと、前記払出部における容器の有無を検知する容器検出ユニットと、メダル払出前の時点における前記容器検出ユニットによる容器の有無の検出に応じて、前記メダル払出ユニットおよび容器供給ユニットを制御する制御ユニットと、を備え、前記制御手段は、前記容器検出ユニットの容器無し出力に基づいて前記容器供給ユニットを作動させて前記払出部へ容器を供給した後、前記容器検出ユニットの容器の存在信号に基づいて前記メダル払出ユニットを作動させてメダルを当該保持部の容器内に払出すことを特徴とするメダル貸出装置である。
【０００８】
この構成において、受け入れた紙幣等の金額に基づいてメダルの総払出数が出力される。メダルの払出信号に基づいてメダルを受けるため予め容器保留部に保留された容器が容器供給ユニットによって払出部に供給される。
容器検出ユニットが払出部における容器を検出すると検出信号を出力し、この検出信号に基づいてメダル払出ユニットが作動され、払出部の容器に所定数のメダルが払い出され、メダル払出ユニットは停止される。
利用者によって払出部からメダルを収容した容器が取り出された場合、残りのメダル払出前の時点における容器が無いことを容器検出ユニットが検出し、その検出に基づいて容器供給ユニットを作動させて保留されている容器を払出部に供給する。
次に容器検出ユニットの容器の検出信号に基づいてメダル払出ユニットを作動させ、残りのメダルを容器に払い出す。
更に払い出すべきメダルがある場合、前述の動作を繰り返す。
結果として、総払出数を分割したメダルの払出が自動的に行われるので、手作業でカウントすることもなく、また、払出部における容器の存在信号に基づいてメダルを払い出すので全てのメダルが容器に収納されるので、利用者にとって便利なメダル貸出装置である。
【０００９】
請求項２の発明は、メダルを受けるための容器を払出部に供給可能なメダル貸出装置において、メダル又は前記容器の取出が可能な前記払出部と、前記払出部へ所定数量のメダルを放出するためのメダル払出ユニットと、予め容器保留部に保留された容器を前記払出部へ供給するための容器供給ユニットと、前記払出部における容器の有無を検知する容器検出ユニットと、メダルを複数回に分けて払い出すための分割数信号を出力する分割指示ユニットと、メダル払出前の時点における前記容器検出ユニットによる容器の有無の検出に応じて、前記メダル払出ユニットおよび容器供給ユニットを制御する制御ユニットを備え、前記制御手段は、前記分割指示ユニットの分割数信号及び前記容器検出ユニットの容器無し出力に基づいて前記容器供給ユニットを作動させて前記払出部へ容器を供給した後、前記容器検出ユニットの容器の存在信号に基づいて前記メダル払出ユニットを作動させてメダルを当該保持部の容器内に払出すことを特徴とするメダル貸出装置である。
【００１０】
この構成において、受け入れた紙幣等の金額に基づいてメダルの総払出数が出力される。
分割指示ユニットから出力される分割数信号に基づいて総払出数内で一回のメダル払出数が均等に設定される。
メダルの払出信号に基づいてメダルを受けるため予め容器保留部に保留された容器が容器供給ユニットによって払出部に供給される。
容器検出ユニットが払出部における容器を検出すると検出信号を出力し、この検出信号に基づいてメダル払出ユニットが作動され、払出部の容器に均等に設定された数のメダルが払い出され、メダル払出ユニットは停止される。
利用者によって払出部からメダルを収容した容器が取り出された場合、残りのメダル払出前の時点における容器が無いことを容器検出ユニットが検出し、その検出に基づいて容器供給ユニットを作動させて保留されている容器を払出部に供給する。
次に容器検出ユニットの容器の検出信号に基づいてメダル払出ユニットを作動させ、残りのメダルを容器に払い出す。
更に払い出すべきメダルがある場合、前述の動作を繰り返す。
結果として、総払出数を分割したメダルの払出が自動的に行われるので、手作業でカウントすることもなく、また、払出部における容器の存在信号に基づいてメダルを払い出すので全てのメダルが均等に容器に収納されるので、利用者にとって便利なメダル貸出装置である。
【００１１】
また、本発明は価値媒体の受入ユニットに受け入れた金額情報に基づいてメダルを払出すメダル貸出装置において、前記受入ユニットからの受入金額に相当する総払出メダル数を設定するステップS26、予め設定された分割数を選択する選択ボタン40、42、65、67の選択毎に対応する分割払出数を出力するステップS23、前記総払出数設定ユニットにおいて設定された総払出数を前記分割指示ユニットからの分割指示数にて除算して整数の分割払出メダル数を分割ユニット57に出力するステップS27、前記メダルを収納する容器を所定位置に保持するステップS28、前記払出部における前記容器を検知するステップS29、前記容器の検知及び前記分割払出数設定ユニットの出力に基づいて前記所定位置に保持された前記容器にメダルを１つずつ区分けして払出すステップS31、前記分割ユニットに設定された分割払出メダル数又は前記容器のフル値と前記払出数検出ユニットの検出メダル数とが一致した場合、前記メダル払出ユニットを停止するステップS34、S41、前記容器のフル値と前記検出メダル数とが一致した場合、前記分割払出メダル数から前記容器のフル値を減算して新たな分割払出メダル数を前記分割ユニットに設定するステップS40、前記メダル払出ユニットを停止するステップの後、前記払出部における前記容器を検知するステップS37、前記保持部における容器無しに基づいて前記容器を保持位置に供給するステップS28、前記保持位置における容器の検知及び前記新たな分割払出メダル数の設定に基づいて前記メダルを払出すステップS31からなるメダルの貸出方法であることが好ましい。
【発明を実施するための最良の形態】
【００１２】
本発明の最良の形態は、メダルを受けるための容器を払出部に供給可能なメダル貸出装置において、メダル又は前記容器の取出が可能な前記払出部と、前記払出部へ所定数量のメダルを放出するためのメダル払出ユニットと、予め容器保留部に保留された容器を前記払出部へ供給するための容器供給ユニットと、前記払出部における容器の有無を検知する容器検出ユニットと、メダル払出前の時点における前記容器検出ユニットによる容器の有無の検出に応じて、前記メダル払出ユニットおよび容器供給ユニットを制御する制御ユニットとを備え、前記制御手段は、前記容器検出ユニットの容器無し出力に基づいて前記容器供給ユニットを作動させて前記払出部へ容器を供給した後、前記容器検出ユニットの容器の存在信号に基づいて前記メダル払出ユニットを作動させてメダルを当該保持部の容器内に払出すことを特徴とするメダル貸出装置である。
【参考例】
【００１３】
まず参考例を説明する。
図１において、メダル貸出装置１０は、その箱型の筐体１２内に紙幣識別受入ユニット１４、硬貨識別受入ユニット１６、メダル払出ユニット１８、メダルの払出部２０、表示ユニット２２、操作ボード２４および制御ユニット２６が配置されている。
紙幣識別受入ユニット１４は、受入口２８に挿入された紙幣の真偽を判別し、偽紙幣の場合返却し、真紙幣の場合、紙幣の金種を制御ユニット２６に出力すると共に収納部（図示せず）に収納する。
硬貨識別受入ユニット１６は、投入口３０に投入された硬貨の真偽を判別し、偽硬貨の場合返却し、真硬貨の場合硬貨の金種を制御ユニット２６に出力すると共に収納部（図示せず）に収納する。
【００１４】
価値媒体の受入ユニットとして、金額情報を記憶している磁気カードやＩＣカードの読み込み書き込みユニットを用いることができる。
また、前記価値媒体の受け入れユニットを適宜組み合わせて装着してもよい。
メダル払出ユニット１８は、払出信号に基づいてメダルを一つずつ区分けして払い出す機能を有している。
メダル払出ユニット１８は、例えば実用新案登録第２５３８５３１号に開示された所謂コインホッパーが使用される。
【００１５】
このコインホッパーは、払い出したメダルのカウントのためのセンサを有しているので好ましい。
また、メダルの払出を迅速に行うため、メダル払出ユニットを複数配置することができる。
払出部２０は、ほぼボックス形の凹部であり、メダル払出ユニット１８から払い出されたメダルがシュート３２を介して供給される。
すなわち、下面、左右側面及び裏面が平板状の壁により囲われ、前面と上面が解放されたボックス３４であり、シュート３２は右側壁の上部に附設されている。
【００１６】
シュート３２から落下するメダルは、ボックス３４の底壁上に堆積し、また、容器３６が払出部に置かれた場合、その容器３６内に供給される。
容器３６は、利用者が自由に使用できるようメダル貸出装置１０の側に積み重ねられている。
しかし、メダル払出ユニット１８からダイレクトに払出部２０の容器３６内に投出してもよい。
メダル払出検出ユニット３８は、払出部２０に払い出されたメダル数を検出する機能を有している。
【００１７】
参考例のメダル払出検出ユニット３８は、メダル払出ユニット１８からメダルシュート３２へ一つずつ払い出されるメダルを光学的に検出してカウンタによってカウントする間接方式である。
このカウントは、メダル払出ユニット１８が払い出されたメダルに基づいて信号を出力するセンサを備えている場合、そのセンサからの信号をカウントすることによって行ってもよい。
【００１８】
表示ユニット２２は、利用者に対する各種メッセージを表示する機能を有し、液晶表示ユニット、ＣＲＴ、蛍光表示管、プラズマディスプレイ等のドット表示ユニット等公知の表示ユニットで構成される。
操作ボード２４は、利用者が価値媒体からメダルに両替する際、各種処理を開始させるゲイン機能を有している。
例えば、紙幣識別受入ユニット１４および硬貨識別受入ユニット１６に投入した貨幣によって両替を行うかどうか決定すると共に分割出しを行うか否かの決定ボタンを備えている。
【００１９】
すなわち、ボタンスイッチ４０は、分割出しを行わない一回出し選択ボタンである。
ボタンスイッチ４２は、二分割出しを行う分割選択ボタンである。
ボタンスイッチ４３は、両替する金額を決定するための金額決定ボタンであり、二千円、五千円及び一万円紙幣を紙幣識別受入ユニット１４が受入可能である場合、両替する金額を決定する機能を有する。
したがって、金額決定ボタン４３は、両替金額に応じた複数にすることができる。
【００２０】
例えば、五千円紙幣が紙幣識別受入ユニット１４に投入され、二千円の金額決定ボタンが押された場合、二千円に相当するメダルが払い出され、図示しない紙幣払出ユニットから三千円の釣り札が払い出される。
ボタンスイッチ４４は、残量の払出信号を出力するための残量払出ボタンである。
ボタンスイッチ４０、４２、４３及び４４は、操作手順の理解を助けるため、発光体を内蔵し、操作が必要な場合、点灯するタイプがよい。
【００２１】
しかし、操作ボード２４は、キーボードやタッチパネル等を用いることができる。
容器３６は、メダル貸出装置１０の側に積み重ねておき、必要に応じ利用者が払出部２０にセットする。
制御ユニット２６は、紙幣識別受入ユニット１４、硬貨識別受入識別ユニット１６、操作ボード２４及びメダル払出検出ユニット３８から信号を入力して所定の演算を行い、メダル払出ユニット１８及び表示ユニット２２に所定の処理を行わせる。
【００２２】
制御ユニット２６は、マイクロプロセッサである。
次に、制御ユニット２６を図２のブロック図を参照して説明する。
制御ユニット２６は、少なくとも払出指示ユニット５０、払出数設定ユニット５２及び分割ユニット５７並びに停止ユニット５８を含んでいる。
払出指示ユニット５０は、一回出し選択ボタン４０及び分割選択ボタン４２を含んでいる。
【００２３】
すなわち、払出指示ユニット５０は、所定数のメダルを一回で払出部２０に払い出すか２分割して払い出すかを選択する機能を有する。
分割選択ボタン４２は、分割指示ユニットである。
払出数設定ユニット５２は、払出指示ユニット５０の選択に基づいて受入金額に対する払出メダル数を設定する機能を有する。
本参考例においては、一回出し選択ボタン４０が押された場合、千円の受入に対して１００枚のメダル払出信号を出力する一回出し数設定ユニット５４と、分割選択ボタン４２が押された場合、二千の受入を判別して千円に対し１１０枚のメダル払出信号を出力する分割払出数設定ユニット５６を含んでいる。
【００２４】
本参考例は、千円又は二千円に対するメダル貸出に限定されているため、総払出数設定ユニットは分割払出数設定ユニット５６である。
換言すると、総払出数は、分割払出数設定ユニット５６の二倍に一義的に決定される。
分割ユニット５７は、払出数検出ユニット３８からの払出数信号と設定ユニット５４又は５６からの設定数が一致した場合、停止ユニット５８に停止信号を出力する。
払出数検出ユニット３８は、この停止信号によりリセットされる。
停止ユニット５８は、前記停止信号を受けた場合、メダル払出ユニット１８を停止する。
【００２５】
また、前記停止信号に基づいて表示ユニット２２は、払出部２０からのメダルの取り出しを促す表示を行う。
また、残量払出ボタン４４が押された場合、メダル払出ユニット１８が起動され、メダルの払出を再開する。
メダル払出ユニット１８は、これらユニットの出力に基づいてメダルの払出を行う。
【００２６】
次に図３のフローチャートを参照して参考例の作動を説明する。
紙幣受入ユニット１４又は硬貨受入ユニット１６の金種判別信号に基づいて、受入口２８又は投入口３０に貨幣が投入されたことをステップＳ１において判別した場合、ステップＳ２に進む。
ステップＳ２において、表示ユニット２２に受入金額を表示すると共に、選択可能な一回出し選択ボタン４０及び分割選択ボタン４２の発光体が点灯され、ステップＳ３に進む。
ステップＳ３において一回出し選択ボタン４０が押されない場合、ステップＳ４に進む。
【００２７】
ステップＳ４において、分割選択ボタン４２が押されない場合、ステップＳ３に戻る。
受入口２８又は投入口３０に千円が投入され、かつ、ステップＳ３において一回出し選択ボタン４０が押された場合、前記点灯が終了するとともに、ステップＳ５進む。
ステップＳ５において金額決定ボタン４３が点灯され、ステップＳ６に進む。
【００２８】
ステップＳ６において金額決定ボタン４３が押されたか判定し、押された場合、ステップＳ７に進む。
ステップＳ７において、一回出し数設定ユニット５４からメダル払出ユニット１８と分割ユニット５７に指示信号が出力される（金額決定ボタン４３の点灯も終了）。
この指示信号によりステップＳ８において、分割ユニット５７が受け入れた金額千円に対応して１００に設定されると共にメダル払出ユニット１８が起動し、メダルの払出を開始する。
【００２９】
払出されたメダルは、シュート３２に落下した後、シュート３２上を滑って払出部２０に払い出される。
メダル払出検出ユニット３８はシュート３２に落下するメダルを検知し、ステップＳ９においてカウントアップする。
分割ユニット５７はステップＳ１０において、メダル払出検出ユニット３８のカウント値と一回出し設定ユニット５４の設定数と比較し、同じになった場合ステップＳ１１に進む。
【００３０】
ステップＳ１１においてメダル払出ユニット１８が停止され、払出処理が終了する。
二千円が紙幣識別受入ユニット１４に二千円が投入され、分割選択ボタン４２が押されたケースを説明する。
分割選択ボタン４２が押された場合、ステップＳ４からステップＳ１２に進む。
ステップＳ１２に進む途中において、金額決定ボタン４３が点灯される。
【００３１】
ステップＳ１２において、金額決定ボタン４３が押された場合、ステップＳ１３に進む。
ステップＳ１３において、分割払出数設定ユニット５６が払い出し数１１０を出力し、ステップＳ１４に進む。
ステップＳ１４において、メダル払出ユニット１８が起動され、分割ユニット５７に払い出し数１１０が設定される。
メダル払出ユニット１８から払い出されたメダルはステップＳ１５において前述のようにカウントされ、ステップＳ１６において設定数１１０と比較される。
【００３２】
カウント数が１１０になった場合、ステップＳ１７に進み、メダル払出ユニット１８を停止する。
前記メダル払出停止と共に、表示ユニット２２に払出部２０からのメダルの取り出した後残量払出ボタン４４のプッシュを促す、表示を行う。
この後、ステップＳ１８において払出が一回目かどうか判別し、一回目の場合、ステップＳ１９に進む。
ステップＳ１９に進む途中で残量払出ボタン４４が点灯される。
一回目でない場合、換言すれば、二回目の場合、処理を終了する。
【００３３】
一回目の場合、利用者は、払出部２０からメダルを取りだし、残量払出ボタン４４を押す。
ステップＳ１９において、残量払出ボタン４４が押されたかどうか判別する。
残量払出ボタン４４が押された場合、ステップＳ１４に戻り、前述同様ステップＳ１７へ進み、メダルを払い出してメダル払出ユニット１８を停止する。
次にステップＳ１８において１回目かどうか判定するが、二回目であるので処理を終了する。
参考例において、メダルの払出を二分割する例を説明したが、三分割以上にすることができる。
この場合、当然ながら分割ボタンを分割数に対応して設ける必要がある。
【実施例】
【００３４】
次にメダル容器の自動補給ユニットを備えた実施例を説明する。
参考例と同一部には同一符号を付し、説明を省略する。
容器供給ユニット６０は、供給信号に基づいて、メダルを収納するバケット形のメダル収納容器３６を自動的に一つずつ払出部２０に供給する機能を有している。
このため、容器３６が積み重ねられた容器保留部６２と、その積み重ねられた最下の容器３６を区分けし、払出部２０へ供給する分離ユニット６４とを有する。
【００３５】
容器供給ユニット６０は、払出部２０の上方に配置されており、分離ユニット６４によって落下させられた容器３６は、垂直落下し、ボックス３４の底で受け止められる。
したがって、容器３６が所定の位置に落下し、かつ、保持されるよう、案内装置や衝撃緩和装置を附設することができる。
分離ユニット６４は、例えば前記特許第２８６０８１８号に開示された装置を用いるのがよい。
ボックス３４の側壁に、払出部２０における容器３６の有無を検出する容器検出ユニット６６が取り付けられている。
【００３６】
この容器検出ユニット６６は、容器３６の有無を検出する機能を有していれば、光電式、機械式、音波式等何れの方式でもよい。
本実施例の操作ボード２４には、選択ボタン４０及び４２に加え、３分割ボタン６５と４分割ボタン６７が配置されている。
分割は、五分割以上にすることができる。
制御ユニット６８は、参考例同様マイクロコンピュータであり、図５に示すブロック回路の機能が組み込まれている。
【００３７】
次に図５に示すブロック回路を説明する。
受入金額判別ユニット７０は、紙幣識別受入ユニット１４及び硬貨識別受入ユニット１６で受け入れた貨幣の価値を判別し、総受入金額を総払出数設定ユニット７２に出力する。
総払出数設定ユニット７２は、換算率設定ユニット７４に設定された換算率及びボーナス設定ユニット７６に設定された金額毎の付加枚数に基づいて受入金額に対する総払出メダル数を分割払出設定ユニット７８に出力する。
なお、ボーナス設定ユニット７６は、設けないことができる。
分割払出設定ユニット７８は、分割指示ユニットである操作パネル２４上の選択されたボタンに応じた分割数を分割払出数設定ユニット７８に出力する。
【００３８】
換言すれば、選択ボタン４０が押された場合、分割数１、選択ボタン４２が押された場合分割数２、選択ボタン６４が押された場合分割数３、選択ボタン６７が押された場合分割数４の信号が出力される。
分割払出数設定ユニット７８は、前記分割数信号を受けて、総払出数設定ユニット７２からの総払出数を除算し、分割ユニット５７へ出力する。
総払出数を分割数で除算した値が整数にならない場合、繰り上げ或いは繰り下げ処理をして分割払出数が整数になるようにする。
【００３９】
前記選択ボタンの操作に基づく分割数の出力に基づいて、払出指示ユニット５２は容器供給ユニット６０の分離ユニット６４に起動信号を出力する。
容器３６が払出部２０に供給され、容器検出ユニット６６からの検出信号に基づいて払出指示ユニット５２はメダル払出ユニット１８に起動信号を出力する。
払出指示ユニット５２は、容器検出ユニット６６の容器無し出力に基づいて分離ユニット６４及びメダル払出ユニット１８に起動信号を出力する。
【００４０】
残量払出ユニット８０は、容器検出ユニット６６から払出部２０における容器３６の無し信号を受信した場合、最初に容器供給ユニット６０すなわち分離ユニット６４を作動させて容器３６を払出部２０に一個落下させる。
次いで払出指示ユニット５２を介してメダル払出ユニット１８を作動させ、払出残のメダルを払出部２０の容器３６に払い出す。
総払出数設定ユニット７２、分割払出数設定ユニット７８、分割ユニット５７、停止ユニット５８及び残量払出ユニット８０が制御ユニット６８であり、ソフトウエアで構成されている。
【００４１】
次に実施例の作用を図６のフローチャートを参照して説明する。
稼働に先立ち、換算率設定ユニットに、換算率０．１、換言すれば千円に対しメダル１００枚、ボーナス設定ユニット７６に、二千円に対しメダル３０枚、三千円に対しメダル６０枚、四千円に対しメダル１２０枚及び五千円に対しメダル２００枚のボーナスを設定する。
換言すれば、千円投入した場合メダル総払出数は１００枚、二千円投入した場合２３０枚、三千円投入した場合３６０枚、四千円投入した場合５２０枚、五千円投入した場合７００枚のメダルが払い出される。
また、容器３６のフル値が３００枚に設定される。
【００４２】
メダルへの両替に先だって、紙幣識別受入ユニット１４および、または硬貨識別受入ユニット１６に貨幣が投入され、ステップＳ２１において紙幣受入を検知した場合、ステップＳ２２に進み、受入金額を表示ユニット２２に表示すると共に選択可能な選択ボタン内の発光体を発光する。
例えば、一万円投入した場合、表示ユニット２２に一万円が表示され、かつ、選択ボタン４０、４２、６５及び６７の発光体が発光される。
利用者は、選択ボタン４０、４２、６５及び６７のうち購入希望の選択ボタンを押す。
例えば、三分割の選択ボタン６５を押す。
ステップＳ２３において、選択ボタン６５の選択を判別した場合、ステップＳ２４に進み、選択されたボタン６４のみ点灯を継続し、他の発光体を消灯する。
次にステップＳ２５において、金額決定ボタン４３が押されたか判定する。
【００４３】
例えば、三千円の金額ボタン４３が押された場合、受入金額判別ユニット７０は金額信号を総払出設定ユニット７２に出力する。
なお、つり札七千円は、図示しない払出ユニットから払い出される。
次にステップＳ２６において、総払出数設定ユニット７２は３６０枚の払出信号を分割払出数設定ユニット７８に出力する。
選択ボタン６５が押された場合、換言すれば、総払出枚数を三分割する場合、ステップＳ２７において、分割払出数設定ユニット７８は３６０を３で除して一分割分の払出枚数を１２０に設定し、分割ユニット５７に出力する。
【００４４】
分割ユニット５７への出力に基づいて、払出指示ユニット５２が容器供給ユニット６０に容器３６の供給信号を出力する。
この供給信号に基づいてステップＳ２８において分離ユニット６４が作動され、容器保留部６２の最下の容器３６を払出部２０に供給する。
すなわち、最下の容器３６のみが分離ユニット６４によって落下されるので、落下した容器３６は、図示しないガイド装置によって案内されて払出部２０の所定位置に供給される。
【００４５】
次にステップＳ２９に進み、容器検出ユニット６６からの容器３６の存在信号を判定する。
容器存在信号が無い場合、ステップＳ３０に進み、分離ユニット６４の作動から所定時間経過したか判断する。
ステップＳ３０において、所定時間経過した場合、換言すれば分離ユニット６４が作動した後所定時間経過しても容器３６が払出部２０に存在しない場合、表示ユニット２２にエラー表示をし、全ての処理を中断する異常処理を行って待機状態になる。
【００４６】
ステップＳ２９において容器３６が存在する場合、ステップＳ３１に進み払出指示ユニット５２がメダル払出ユニット１８を作動させる。
これにより、メダル払出ユニット１８は、メダルを一個ずつ区分けしてメダルシュート３２に払い出す。
【００４７】
メダルシュート３２に落下したメダルは、メダルシュート３２を滑落して払出部２０の容器３６内に落下する。
このメダルの払出と並行してメダル払出ユニット１８から払出されるメダルを払出数検出ユニット３８で検出して制御ユニット６８内のソフトカウンタでカウントし、容器３６へのメダル払出数を検出する。
【００４８】
次にステップＳ３２において、前記カウント値がフル値の３００と比較される。
メダル１２０枚の場合、当然３００以下であるので、ステップＳ３３に進む。
ステップＳ３３において、ステップＳ２７で設定された分割払出数１２０と比較される。設定数に満たない場合、ステップＳ３２に戻り、払出を継続する。
ステップＳ３３において、カウントが設定数の１２０と一致したとき、ステップＳ３４に進む。
【００４９】
ステップＳ３４において、メダル払出ユニット１８を停止し、一分割目の払出処理が終了する。
次にステップＳ３５において、ステップＳ２６で設定された総払出枚数と比較され、総払出枚数よりも少ない場合、ステップＳ３６に進む。
ステップＳ３６において、表示ユニット２２に払出部２０から容器３６の取り出しを促す表示及び、又は音を発する。
【００５０】
容器除去信号出力ユニットは、このステップＳ３６である。
利用者が、払出部２０から容器３６を取り出した場合、容器検出ユニット６６は容器無し信号を出力する。
ステップＳ３７において、容器無し信号を判定した場合、ステップＳ３８に進む。
容器無し信号を受信しない場合、ステップＳ３９に進み、所定時間計時する。
この所定時間の間に前記容器無し信号が出力されない場合、前記異常処理を行う。
【００５１】
ステップＳ３７において容器無し信号を判定した場合、ステップＳ３８において表示部２２の容器取り出し表示を終了し、ステップＳ２８に戻る。
ステップＳ２８において再び、分離ユニット６４を作動させて、容器３６を払出部２０に供給した後、ステップＳ２９において容器の存在を判別した後、ステップＳ３１でメダル払出ユニット１８を作動させてメダルを払出し、ステップＳ３２でフル枚数と比較した後ステップＳ３３において分割払出枚数と比較する。
二分割目であるため、分割払出枚数よりも少ないのでステップＳ３２に戻り、メダル払出を継続する。
【００５２】
ステップＳ３３において分割払出数に達した場合、前述のようにステップＳ３４に進み、メダル払出ユニット１８を停止した後、ステップＳ３５に進み、総払出枚数との比較を行う。
この場合、未だ総払出枚数に達しないのでステップＳ３６に進み、容器３６の取り出しを促す表示等を行う。
ステップＳ３７で容器検出ユニット６６からの容器なし信号に基づいてステップＳ３８に進んで容器取り出し表示を終了した後、再々度ステップＳ２８に戻り、分離ユニット６４を作動させて払出部２０に容器３６を供給する。
その後前述のようにメダル払出ユニット１８からメダル払出をおこなう。
ステップＳ３５おいて総払出数３６０に一致した場合、メダル払出を終了する。
【００５３】
次に、３０００円で一回出しの選択スイッチ４０が押されたケースを説明する。
前記説明と同様に、ステップＳ２６において、払出枚数が３６０枚に設定される。
さらに、ステップＳ２７において、分割数１で除した分割払出数が設定される。
したがって、総払出枚数と分割払出枚数とは同一である。
そして前述同様ステップＳ２８で分離ユニット６４が作動されて容器３６が払出部２０に供給された後、ステップＳ３１でメダル払出ユニット１８が作動されてメダルが容器３６に払い出される。
【００５４】
ステップＳ３２において、検出ユニット３８のカウント値がフル値である３００になった場合、ステップＳ４０に進む。
ステップＳ４０において、総払出枚数３６０からフル枚数の３００を減算して残払出枚数６０を分割払出数に設定する。
この後、ステップＳ４１においてメダル払出ユニット１８を停止し、ステップＳ３６において容器取り出し表示を行い、次いでステップＳ３７で容器無し信号が出力された場合、ステップＳ３８でカップ取り出し表示を終了してステップＳ２８に戻る。
【００５５】
そして再び分離ユニット６４を作動させて容器３６を払出部２０に供給した後メダル払出ユニット１８を作動させてメダルを払い出す。
次にステップＳ３３において、払出数が６０になった場合、ステップＳ３４に進んでメダル払出ユニット１８を停止する。
これにより、払出されたメダルは、受入許容限度である３００枚と６０枚に自動的に分割されて容器３６に払い出される。
次にステップＳ３５において総払出枚数と払出数が同一であるので払出処理を終了する。
【００５６】
４分割の選択ボタン６７が押された場合、前述の３分割と同様に４分割されて容器３６にメダルの払出が行われる。
また、五千円が投入された場合、総払出枚数は７２０枚であり、二分割の選択ボタンが押された場合、３６０枚ずつ分割払出が行われる。
この場合、払出数検出ユニット３８のカウント値が３００になった場合、フル枚数であるため、前述同様一回目の払出が中断され、次に補給された容器３６に残りの６０枚が払い出される。
次に供給された容器３６に二回目の３００枚が払い出された後、新たに供給された容器３６に残りの６０枚が払い出されて払出を終了する。
【００５７】
上記実施例のように、払出数検出ユニット３８をメダル払出ユニット１８から払い出されるメダルのカウンタで構成した場合、容器３６のフル値をデジタルできめ細かに設定できるので、いたずらに容器の取り出し処理を増加することがないと共に毎回同一数のメダルを容器に払い出すことができる。
【００５８】
本発明は、総払出数を所定数に分割したメダルの払出が自動的に行われるので、手作業でカウントすることもなく、また、均等に分割されるので、利用者にとっても便利なメダル貸出装置である。
また、受け入れた金額に基づいて総払い出し数がその都度設定されるので、メダルの換算率が変更になった場合などの対応が容易である。
また払出すメダルが多量であってもそのメダルは、1回当たりの払出枚数の制限のもとで払い出し動作を行うことで分けて払い出しができ、かつ払出部やカップからメダルを溢れさせないで、全てのメダルを払い出せる。
さらに、メダル払出ユニットから払い出されたメダルは容器に収納されるので、容器を払出部から取り出せばよいので、利用者の利便性が高い。
【００５９】
さらにまた、メダル容器の取り出しに基づいて自動的に容器が供給され、残りのメダル払出が行われるので利用者にとってより利便性が高い。
さらに、容器に払い出されたメダルが所定量になった場合、その満杯容器の取り出しを促す表示を行うので容器取り出しが確実に行われ、かつ、表示ユニットで促すので安価に構成できる。
また、払出数検出ユニットがカウンタであるので、容器の容量が変更された場合、その払い出数の設定を変更するのみでメダルが容器から溢れないよう変更ができ、極めて容易に変更できる。
さらに、その変更はソフトウエアによって構成できるので、安価である。
【図面の簡単な説明】
【００６０】
【図１】図１は、参考例のメダル貸出装置の概要図である。
【図２】図２は、参考例のブロック図である。
【図３】図３は、参考例の作動説明用のフローチャートである。
【図４】図４は、実施例のメダル貸出装置の概要図である。
【図５】図５は、実施例のブロック図である。
【図６】図６は、実施例の作動説明用のフローチャートである。
【符号の説明】
【００６１】
１８ メダル払出ユニット
２０ 払出部
２２ 表示ユニット
２４、５２ 分割指示ユニット
３６ 容器
３８ 払出数検出ユニット
５６、７８ 払出数設定ユニット
５７ 分割ユニット
５８ 停止ユニット
６０ 容器供給ユニット
６６ 容器検出ユニット
７２ 総払出数設定ユニット
８０ 残量払出ユニット
Ｓ３６ 容器除去信号出力ユニット
【図１】
2010075729.tif 000003
【図２】
2010075729.tif 000004
【図３】
2010075729.tif 000005
【図４】
2010075729.tif 000006
【図５】
2010075729.tif 000007
【図６】
2010075729.tif 000008